(57)【要約】【課題】乗場位置表示器の表示部に任意の情報を表示できるようにすること。【解決手段】少なくとも１台のエレベータに対応して当該エレベータの各乗場位置に設けられた乗場位置表示器を制御する乗場位置表示器制御装置を、上記乗場位置表示器が備える当該エレベータの状態情報を表示する表示部に表示するべきメッセージを含む電子メールを受信する受信部４２と、上記受信部４２で受信した電子メールから上記メッセージを抽出して、表示用メッセージを作成する制御部４１と、上記制御部４１で作成された表示用メッセージを上記乗場位置表示器の表示部に表示する表示制御部４４と、から構成する。【選択図】図３
2007276940.tif 000002
【特許請求の範囲】
【請求項１】
少なくとも１台のエレベータに対応して当該エレベータの各乗場位置に設けられた乗場位置表示器を制御する乗場位置表示器制御装置であって、
上記乗場位置表示器が備える当該エレベータの状態情報を表示する表示部に表示するべきメッセージを含む電子メールを受信する受信手段と、
上記受信手段で受信した電子メールから上記メッセージを抽出して、表示用メッセージを作成する表示用メッセージ作成手段と、
上記表示用メッセージ作成手段で作成された表示用メッセージを上記乗場位置表示器の表示部に表示する表示制御手段と、
を備えることを特徴とする乗場位置表示器制御装置。
【請求項２】
上記表示制御手段は、上記乗場位置表示器の表示部に上記表示用メッセージをスクロール表示させることを特徴とする請求項１に記載の乗場位置表示器制御装置。
【請求項３】
上記受信手段で受信した電子メールの正当性を確認する正当性確認手段を更に具備し、
上記表示用メッセージ作成手段は、上記正当性確認手段で正当性の確認された電子メールからのみ上記表示用メッセージを作成することを特徴とする請求項１に記載の乗場位置表示器制御装置。
【請求項４】
少なくとも１台のエレベータに対応して当該エレベータの各乗場位置に設けられ、当該エレベータの状態情報を表示する表示部を備える、乗場位置表示器と、
上記乗場位置表示器の表示部に表示するべきメッセージを含む電子メールを作成し、送信するメール端末と、
上記メール端末から送信された上記電子メールを受信する受信部と、
上記受信部で受信した上記電子メールから上記メッセージを抽出して、表示用メッセージを作成する制御部と、
上記制御部で作成された表示用メッセージを上記乗場位置表示器の表示部に表示する表示制御部と、
を具備することを特徴とする乗場位置表示器表示システム。
【請求項５】
上記メール端末は、携帯電話機であることを特徴とする請求項４に記載の乗場位置表示器表示システム。
【請求項６】
上記携帯電話機は、保守員が所持するものであることを特徴とする請求項５に記載の乗場位置表示器表示システム。
【発明の詳細な説明】
【技術分野】
【０００１】
本発明は、例えばエレベータの各乗場位置に設けられた乗場位置表示器に情報を表示する乗場位置表示器制御装置及び乗場位置表示器表示システムに関する。
【背景技術】
【０００２】
ビル内等に設置されたエレベータの各階の乗場位置には、乗りかごを呼ぶための呼ボタンとエレベータの状態表示を行う表示部とを備えた乗場位置表示器が設けられている。
【０００３】
この乗場位置表示器の表示部が行うエレベータの状態表示とは、乗りかごが現在どの階にいるかを示す階床表示や、乗りかごが上下何れの方向に移動するかを示す方向表示が一般的である。更に、『満員』や『点検中』、『地震管制運転中』といった予め決まった内容を表示する機能を備えたものも知られている。
【発明の開示】
【発明が解決しようとする課題】
【０００４】
上記のように、従来の乗場位置表示器の表示部に表示できる内容は、非常に限られたものであった。
【０００５】
本発明は、上記の点に鑑みてなされたもので、乗場位置表示器の表示部に任意の情報を表示可能な乗場位置表示器制御装置及び乗場位置表示器表示システムを提供することを目的とする。
【課題を解決するための手段】
【０００６】
本発明の乗場位置表示器制御装置の一態様は、
少なくとも１台のエレベータに対応して当該エレベータの各乗場位置に設けられた乗場位置表示器を制御する乗場位置表示器制御装置であって、
上記乗場位置表示器が備える当該エレベータの状態情報を表示する表示部に表示するべきメッセージを含む電子メールを受信する受信手段と、
上記受信手段で受信した電子メールから上記メッセージを抽出して、表示用メッセージを作成する表示用メッセージ作成手段と、
上記表示用メッセージ作成手段で作成された表示用メッセージを上記乗場位置表示器の表示部に表示する表示制御手段と、
を備えることを特徴とする。
【０００７】
また、本発明の乗場位置表示器表示システムの一態様は、
少なくとも１台のエレベータに対応して当該エレベータの各乗場位置に設けられ、当該エレベータの状態情報を表示する表示部を備える、乗場位置表示器と、
上記乗場位置表示器の表示部に表示するべきメッセージを含む電子メールを作成し、送信するメール端末と、
上記メール端末から送信された上記電子メールを受信する受信部と、
上記受信部で受信した上記電子メールから上記メッセージを抽出して、表示用メッセージを作成する制御部と、
上記制御部で作成された表示用メッセージを上記乗場位置表示器の表示部に表示する表示制御部と、
を具備することを特徴とする。
【発明の効果】
【０００８】
本発明によれば、電子メールで送信した任意のメッセージを表示できる乗場位置表示器制御装置及び乗場位置表示器表示システムを提供することができる。
【発明を実施するための最良の形態】
【０００９】
以下、本発明を実施するための最良の形態を図面を参照して説明する。
【００１０】
図１は、本発明の一実施形態の構成を示す図である。
【００１１】
本実施形態においては、ビル１内には昇降機として２台のエレベータが据え付けられており、乗りかご２ａ，２ｂが群管理制御により互いに協調しながら上下動できるようになっている。なお、乗りかご２ａ，２ｂの動作制御や、故障発生情報を監視センタに通信するための遠隔監視端末装置については、本発明の要旨と直接関係がないので、その図示及び説明は省略する。
【００１２】
各階の乗場位置には、図２に示すように、エレベータの状態表示を行う表示部３１と乗りかご２ａ，２ｂを呼ぶための呼ボタン３２とを備えた乗場位置表示器３が設置されている。この乗場位置表示器３は、乗場位置表示器制御装置４に接続されている。この乗場位置表示器制御装置４には、電子メールが割り当てられており、エレベータを保守点検する保守員が所持する携帯電話機や通信機能付ＰＤＡ等のメール端末５から当該乗場位置表示器制御装置４宛に送信された電子メールを、公衆回線６を介して受信する機能を備えている（なお、電子メール送受信に必要な基地局やメールサーバは既知であるので図示及び説明は省略する）。更に、その受信した電子メールに含まれるメッセージを、上記乗場位置表示器３の表示部３１に表示する機能も有している。
【００１３】
即ち、上記乗場位置表示器制御装置４は、図３に示すように、制御部４１、受信部４２、記憶部４３、及び表示制御部４４から構成されている。ここで、制御部４１は、該乗場位置表示器制御装置４全体を制御するＣＰＵ等である。受信部４２は、上記電子メールを受信するための通信装置である。記憶部４３は、上記制御部４１及び表示制御部の動作プログラムや当該乗場位置表示器制御装置４に割り当てられた電子メールアドレスを記憶すると共に、上記受信部４２で受信した電子メールや上記制御部４１が作成した表示用メッセージを保存するメモリである。また、この記憶部４３には、上記制御部４１が上記電子メールの正当性（予め決められた送信元からのものであるか）を確認する際に使用する識別情報（ＩＤ）及びパスワード（ＰＷ）が記憶されている。表示制御部４４は、上記制御部４１からの指示により、上記記憶部４３に記憶された表示用メッセージを、各階の乗場位置表示器３の表示部３１に表示するものである。
【００１４】
次に、本実施形態の動作を、より詳細に説明する。
【００１５】
図４は、記憶部４３に記憶された制御プログラムに従った制御部４１の動作フローチャートを示す図である。
【００１６】
即ち、制御部４１は、まず、記憶部４３に記憶された当該乗場位置表示器制御装置４の電子メールアドレスに対する電子メールの受信処理を、受信部４２に行わせる（ステップＳ４１Ａ）。そして、当該乗場位置表示器制御装置４宛の電子メールの受信が有ったか否かを判別する（ステップＳ４１Ｂ）。
【００１７】
ここで、当該乗場位置表示器制御装置４宛の電子メールが無かった場合には、乗場位置表示器３の表示部３１の階床表示の更新等の他の処理を実施して（ステップＳ４１Ｃ）、上記ステップＳ４１Ａに戻る。なお、このステップＳ４１Ｃにおける他の処理は、本発明の要旨に直接関係ないので、その説明は省略する。
【００１８】
一方、上記ステップＳ４１Ｂにおいて当該乗場位置表示器制御装置４宛の電子メールが有ったと判別した場合には、その電子メールを記憶部４３に保存する（ステップＳ４１Ｄ）。その後、その保存した電子メールに記載されているＩＤ及びＰＷと、記憶部４３に予め記憶してあるＩＤ及びＰＷとを比較することで、当該電子メールの正当性チェックを行う（ステップＳ４１Ｅ）。即ち、保守員がメール端末５から該乗場位置表示器制御装置４宛に送信する電子メールには、本文中に予め決められた書式でＩＤ及びＰＷを記述するものとし、制御部４１は、その本文中に記述されたＰＷ及びＩＤを抽出して、予め記憶されたものと比較する。例えば、ＩＤ＝”ｘｘｘｘｘｘ”，ＰＷ＝”ｘｘｘｘｘｘ”のように、ＩＤやＰＷを示す文字に対応させて””で挟まれた文字列を抽出して比較する。このように、制御部４１は、正当性確認手段として機能するものである。なお、記憶部４３に予め記憶しておくＩＤ及びＰＷは、１組に限るものではなく、複数組有る場合にはそのそれぞれについて比較を実施する。また、この正当性チェックは、差出人のメールアドレスなど他の情報も合わせてチェックすることにより、そのセキュリティが向上する。
【００１９】
而して、この正当性チェックの結果、受信した電子メールは正当なものではない、つまり予め決められた保守員のメール端末５からの電子メールでない、と判別された場合には、記憶部４３に保存した上記電子メールを削除して（ステップＳ４１Ｆ）、上記ステップＳ４１Ａに戻る。
【００２０】
これに対して、上記ステップＳ４１Ｅでの正当性チェックの結果、正当な電子メールであると判別された場合には、上記記憶部４３に保存された当該電子メールの本文より、保守員が作成した任意のメッセージを読み出して、乗場位置表示器３の表示部３１に表示する表示用メッセージを作成する（ステップＳ４１Ｇ）。即ち、保守員がメール端末５から該乗場位置表示器制御装置４宛に送信する電子メールには、本文中に、任意のメッセージを決められた書式で記述するものとし、制御部４１は、その本文中に記述された任意のメッセージを抽出して、表示用メッセージを作成するものである。例えば、Ｍｅｓｓａｇｅ＝”ｘｘｘｘｘｘｘｘｘｘｘｘｘｘ”のように、メッセージであることを示す文字に対応させて””で挟まれた文字列を、任意のメッセージとして抽出する。この任意のメッセージとしては、例えば、『今日は点検日です。○時○分頃から点検が始まります』とか『あと○分で保守員が到着します』等、メール端末５を携帯する保守員の行動予定を示すものが考えられる。制御部４１は、こうして作成された表示用メッセージを記憶部４３に保存する（ステップＳ４１Ｈ）。そしてその後、表示制御部４４に対し、メッセージ表示を指令して（ステップＳ４１Ｉ）、上記ステップＳ４１Ａに戻る。即ち、実際の表示用メッセージの表示は表示制御部４４に行わせることで、制御部４１はその他の処理を実施することができる。
【００２１】
図５は、記憶部４３に記憶された制御プログラムに従った表示制御部４４の動作フローチャートを示す図である。
【００２２】
即ち、表示制御部４４は、まず、制御部４１からメッセージ表示指示を受けたか否かを判別する（ステップＳ４４Ａ）。ここで、メッセージ表示指示が無いと判別した場合には、制御部４１からの乗場位置表示器３の表示部３１の階床表示の更新指示に応じた更新表示等の他の処理を実施して（ステップＳ４４Ｂ）、上記ステップＳ４４Ａに戻る。なお、このステップＳ４４Ｂにおける他の処理は、本発明の要旨に直接関係ないので、その説明は省略する。
【００２３】
一方、上記ステップＳ４４Ａにおいて制御部４１からメッセージ表示指示を受けたと判別した場合には、記憶部４３に保存されている表示用メッセージを読み出す（ステップＳ４４Ｃ）。そして、その読み出した表示用メッセージを、各乗場位置表示器３の表示部３１にスクロール表示して（ステップＳ４４Ｄ）、上記ステップ４４Ａに戻る。
【００２４】
即ち、乗場位置表示器３の表示部３１は通常、限られた表示スペース（図２の例では２文字×２列分）しか有しておらず、多量の文字列を一度に表示することはできない。そこで、図６に示すように、『あと○分で保守員が到着します』等の表示用メッセージを、『あと』→『と○』→『○分』→『分で』→『で保』→『保守』→『守員』→『員が』→『が到』→『到着』→『着し』→『しま』→『ます』と、所定文字数（この例では２文字）ずつ時系列に表示することで、あたかも上方向に文字列が流れていくように見せるスクロール表示を行う。
【００２５】
この場合、表示用メッセージを１列でスクロール表示しているとき、他方の列では通常の表示を行い、表示用メッセージの表示完了に応じて、表示用メッセージと通常表示の表示列を交換するような、交互表示を行うことで、エレベータ利用者に対するサービス低下を極力少なくすることができる。
【００２６】
また、乗りかご２ａ，２ｂの何れか一方が故障等によって停止している場合には、その乗りかごに対応する側の表示列に表示用メッセージを表示させるような制御としても構わない。
【００２７】
以上のように、本一実施形態によれば、電子メールで送信した任意のメッセージを乗場位置表示器３の表示部３１に表示することができる。
【００２８】
以上、一実施形態に基づいて本発明を説明したが、本発明は上述した実施形態に限定されるものではなく、本発明の要旨の範囲内で種々の変形や応用が可能なことは勿論である。
【００２９】
例えば、上記実施形態では、メール端末５は保守員が保持し、保守員の行動予定等をメッセージとして送信して表示するようにしたが、当該ビル１のオーナや管理者等がメール端末５を有し、電話等で確認した保守員の行動予定等を、そのオーナや管理者等が電子メール送信して表示するようにしても構わない。更にこの場合、オーナや管理者からのエレベータ利用者へのお知らせや、コマーシャルメッセージ等、種々の表示を行うことも可能である。
【００３０】
また、上記実施形態では、ビル１の全ての階の乗場位置表示器３の表示部３１に同時に表示用メッセージを表示するようにしたが、玄関階のみというように、任意の階の乗場位置の乗場位置表示器３の表示部３１にのみ表示するようにしても構わない。
【００３１】
なお、乗場位置表示器３の表示部３１の表示文字数は、上記実施形態に限定されないことは言うまでもない。
【００３２】
また、上記実施形態では、制御部４１と表示制御部４４とを別体構成としたが、制御部４１が表示制御部４４の機能を備えるものであっても良い。
【００３３】
あるいは、制御部４１から表示制御部４４に表示指令を与えるようにしたが、表示制御部４４は、単に記憶部４３に保存された表示用データを常に表示するものとし、制御部４１は記憶部４３に保存する表示用データを随時書き換えるとすることで、表示指令を使用すること無く、上記実施形態と同様の動作を行うことができる。但しこの場合、表示制御部４４は、文字数が多い場合はスクロール表示することは言うまでもない。これにより、制御部４１は、通常は『↑』や『１』といった表示用データを記憶部４３に保存させ、電子メールでメッセージを受け取ったときには、そのメッセージを記憶部４３に保存させるだけで、自動的に表示制御部４４が乗場位置表示器３の表示部３１の表示を更新する。よって、表示制御部４４は、記憶部４３に制御プログラムを記憶しておきソフトウェア処理によって表示更新を行う必要が無く、容易にハードウェア化できる。
【００３４】
また、乗場位置表示器制御装置４は、乗りかご２ａ，２ｂの動作制御や、故障発生情報を監視センタに通信するための遠隔監視端末装置の一部として構成しても構わない。その場合、制御部４１は、遠隔監視端末装置の制御部が利用できる。
【００３５】
更に、本発明は、エレベータだけでなく、エスカレータなどの他の昇降機の乗場位置に適用することも勿論可能である。
【００３６】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００３７】
【図１】図１は、本発明の一実施形態の構成を示す図である。
【図２】図２は、乗場位置表示器の正面図である。
【図３】図３は、乗場位置表示器制御装置のブロック構成図である。
【図４】図４は、制御部の動作フローチャートを示す図である。
【図５】図５は、表示制御部の動作フローチャートを示す図である。
【図６】図６は、スクロール表示を説明するための図である。
【符号の説明】
【００３８】
１…ビル、  ３…乗場位置表示器、  ４…乗場位置表示器制御装置、  ５…メール端末、  ６…公衆回線、  ３１…表示部、  ３２…呼ボタン、  ４１…制御部、  ４２…受信部、  ４３…記憶部、  ４４…表示制御部。
【図１】
2007276940.tif 000003
【図２】
2007276940.tif 000004
【図３】
2007276940.tif 000005
【図４】
2007276940.tif 000006
【図５】
2007276940.tif 000007
【図６】
2007276940.tif 000008